(57)【要約】【課題】コンクリート打ち継ぎ面からの水の浸入を防止する施工方法を提供する。【解決手段】通水性を有する筒状の袋に膨潤性の高い吸水ゲル化物質の乾燥体が装てんされた止水材１４を用いて、コンクリートの打ち継ぎ面５０からの水の浸入を防止するコンクリートの打ち継ぎ面の止水施工方法であって、コンクリートの打ち継ぎ面５０が平滑になるように仕上げておく工程と、止水材１４に含水させた後、コンクリートの打ち継ぎ面５０に、コンクリートの打ち継ぎ面５０から水が浸入する方向と直交方向に止水材１４を配設した後、止水材１４と打ち継ぎ面５０との間に隙間５２が生じないように固定する工程とを含むことを特徴とするコンクリートの打ち継ぎ面の止水施工方法である。【選択図】　　　　図３
2004107890.tif 000002
【特許請求の範囲】
【請求項１】
通水性を有する筒状の袋に膨潤性の高い吸水ゲル化物質の乾燥体が装てんされた止水材を用いて、コンクリートの打ち継ぎ面からの水の浸入を防止するコンクリートの打ち継ぎ面の止水施工方法であって、
前記コンクリートの打ち継ぎ面が平滑になるように仕上げておく工程と、
前記止水材に含水させた後、前記コンクリートの打ち継ぎ面に、当該コンクリートの打ち継ぎ面から水が浸入する方向と直交方向に前記止水材を配設した後、該止水材と前記打ち継ぎ面との間に隙間が生じないように固定する工程とを含むことを特徴とするコンクリートの打ち継ぎ面の止水施工方法。
【請求項２】
前記止水材を前記打ち継ぎ面に固定する工程は、鋲で可及的狭ピッチで固定することによりなされることを特徴とする請求項１記載のコンクリートの打ち継ぎ面の止水施工方法。
【請求項３】
前記止水材を前記打ち継ぎ面に固定する工程は、当該止水材を配設した方向に長尺な固定具によりなされることを特徴とする請求項１または２に記載のコンクリートの打ち継ぎ面の止水施工方法。
【請求項４】
前記止水材と前記打ち継ぎ面との接触幅が、前記打ち継ぎ面の水が浸入する方向の打ち継ぎ面幅に対して、１／４０〜１／２０となるように前記止水材を前記打ち継ぎ面に配設することを特徴とする請求項１乃至３いずれか１項に記載のコンクリートの打ち継ぎ面の止水施工方法。
【発明の詳細な説明】
【０００１】
【発明の属する技術分野】
本発明は、コンクリートの打ち継ぎ面の止水施工方法に関するものであり、より詳細には、コンクリートの打ち継ぎ面から水の浸入を防止するためのコンクリートの打ち継ぎ面の止水施工方法に関する。
【０００２】
【従来の技術】
コンクリートの打ち継ぎ面から水の浸入を防ぐ方法としては、特許第２８５７９６１号公報に止水材をコンクリートの打ち継ぎ面に配設した後に、打ち継ぎ面に続きのコンクリートを打設する方法が開示されている。
ここでいう止水材とは、通水性を有する筒状袋に膨潤性が大なる高吸水ゲル化物の乾燥粒体を装てんしたものが使用されている。
【０００３】
【特許文献１】
特許第２８５７９６１号公報
【０００４】
【発明が解決しようとする課題】
従来行われていた止水材の施工においては、図４に示すように、コンクリートの打ち継ぎ面５０（以後、単に打ち継ぎ面５０ということがある）の仕上がりを面あらし等をして意図的に凹凸状にすることにより、打ち継ぎ面５０と次に打つコンクリートとの付着を向上させていた。止水材１４はこのように表面が凹凸している打ち継ぎ面５０に単に置かれているだけか、鉄筋１２に結束しているだけであるので、続きのコンクリートを打設した際に、止水材１４が浮き上がってしまうおそれがあった。また、止水材１４を打ち継ぎ面５０に押さえつけて浮き上がらないようにしたとしても、止水材１４と打ち継ぎ面５０との間の隙間５２を無くすことは到底できず、打ち継ぎのコンクリートを打設する際において、止水材１４と打ち継ぎ面５０との隙間５２からコンクリートペーストが侵入してしまうため、打ち継ぎ面５０に止水材が１４接触しない部分が生じてしまい、この部分から水が浸入してしまうという課題があった。
【０００５】
本発明は、以上に述べた課題を解決するためになされたものであり、コンクリートの打ち継ぎ面において、部材厚さ方向に止水材が接触しない部分が生じないようにするための止水材の止水施工方法を提供することを目的とする。
【０００６】
【課題を解決するための手段】
以上の目的を達成するために、本発明は次に示す構成を備える。
すなわち、通水性を有する筒状の袋に膨潤性の高い吸水ゲル化物質の乾燥体が装てんされた止水材を用いて、コンクリートの打ち継ぎ面からの水の浸入を防止するコンクリートの打ち継ぎ面の止水施工方法であって、前記コンクリートの打ち継ぎ面が平滑になるように仕上げておく工程と、前記止水材に含水させた後、前記コンクリートの打ち継ぎ面に、当該コンクリートの打ち継ぎ面から水が浸入する方向と直交方向に前記止水材を配設した後、該止水材と前記打ち継ぎ面との間に隙間が生じないように固定する工程とを含むことを特徴とするコンクリートの打ち継ぎ面の止水施工方法である。
これにより、打ち継ぎ面において、既に打設してあるコンクリートと後に打設するコンクリートとの間に水の浸入する方向に対して必ず止水材を介在させることができるため、コンクリートの打ち継ぎ面からの水の浸入を防止することができる。
【０００７】
また、前記止水材を前記打ち継ぎ面に固定する工程は、鋲で可及的狭ピッチで固定することによりなされることが好ましい。
さらには、前記止水材を前記打ち継ぎ面に固定する工程は、当該止水材を配設した方向に長尺な固定具によりなされることが好ましい。
これらにより、止水材の固定をより確実に行うことができる。
なお、本願で云うところの鋲は必ずしも頭が大きくなくても良く、止水材をコンクリート面に確実に押さえつけることができる係止具であっても良いのはもちろんである。
【０００８】
さらにまた、前記止水材と前記打ち継ぎ面との接触幅が、前記打ち継ぎ面の水が浸入する方向の打ち継ぎ面幅に対して、１／４０〜１／２０となるように前記止水材を前記打ち継ぎ面に配設することが好ましい。
これにより、単にコンクリートの打ち継ぎ面において、止水材が単に介在しているだけでなく、止水材と既に打設したコンクリート面が水の浸入する方向に対してある程度以上の幅をもって接触しているので、止水効果が向上する。
【０００９】
【発明の実施の形態】
以下、本発明にかかるコンクリートの打ち継ぎ面における止水の施工方法の実施の形態の具体例を図面に基づいて説明する。
本実施の形態においては、地下室を建設する際のコンクリートの打ち継ぎ面における止水材の施工方法について説明する。
地下室は、地価が高い場所においても建物の居住スペースを確保することができることや、一年を通じて略一定の温度を保っているため、冷暖房費を軽減させることや、地震が発生した際においても、揺れが少なくて済み、安全な居住空間とすることができるため、日本のような国においては特に適している構造形態であるといえる。しかしながら、従来技術による地下室の建設方法においては、水の浸入を防ぐ処置がなされてはいるが、地下室への地下水の浸入を完全に防ぐことは極めて困難であり、あまり普及していないというのが現状である。
本発明に係るコンクリートの打ち継ぎ面の止水施工方法を採用することにより、地下室であっても地下水の浸入のおそれがないため、快適な地下室を提供することができる。
【００１０】
（第１の実施の形態）
図１は第１の実施の形態におけるコンクリートの打ち継ぎ面の施工状況を示す説明図である。図２は、施工後における止水材近傍の断面図である。
止水材としては、通水性を有する筒状の袋に膨潤性の高い吸水ゲル化物の乾燥粒体が装てんされたものを使用する。この止水材は、市販されており、容易に入手することができる。例えば、有限会社シーケーから商品名「ゲルフィットロープ」として販売されている。
【００１１】
止水材について詳細に説明する。
通水性を有する袋は、ビニルメッシュの袋であり、膨潤性の高い吸水ゲル化物としては、粒径１．２±０．１ｍｍ、粒長２ｍｍ、見かけ比重１．０±０．２、膨潤力４０ｍｌ／２ｇ以上のベントナイトが用いられている。
止水材の筒径は１９ｍｍであり、長さは３ｍである。ベントナイトは、膨潤性が高く、吸水すると膨張してゲル状になり、ベントナイトの量が多くなればゲル状が膠状になり不透水性物質になる。
コンクリートの打ち継ぎ面に止水材を配設しておけば、コンクリートの打ち継ぎ面から水が侵入しても、止水材に装てんされたベントナイトが不透水性の膠状になるため、水のさらなる浸入を防止することができる。
【００１２】
止水材の配設方法について説明する。
まず、地表面から所定深さに掘削した後、底盤１０のコンクリートを打設する。底盤１０の上端面は金ゴテ仕上げ等により平滑に整形しておく。平滑とは、打ち放しではなく、木ゴテや、金ゴテによりなされ、止水材が隙間なく密着するのに支障をきたさない程度であれば良い。
底盤１０の上には鉄筋１２が所定間隔で突出している。本発明のコンクリートの打ち継ぎ面の止水施工方法においては、打ち継ぎ面部分を平滑にしているので、底盤１０と打ち継ぎするコンクリートとの付着が通常の打ち継ぎ処理に比べてやや劣るが底盤１０と打ち継ぎするコンクリートとの付着については、鉄筋１２の配設ピッチを通常より細かくすることにより十分対応することができる。
【００１３】
止水材１４は、地中壁２０の部材延長方向に配設し、打ち継ぎ面５０を地中壁２０の外側面から内側面に横切ろうとする水の浸入を妨げるようにしている。止水材１４は配設前に水に浸漬させて水分を含ませておく。こうすることにより、止水材１４を配設する際において、取り扱いが容易となり、止水材１４の袋の破損も防ぐことができる。
本実施の形態においては、止水材１４を底盤１０に固定する際の係止具の一例としてコンクリート釘１６を用いている。底盤１０と止水材１４との間に隙間が生じないように、止水材１４にコンクリート釘１６を可及的狭ピッチに打ち込んで底盤１０と密着させる。
【００１４】
底盤１０に止水材１４を固定する際は、図２に示すように、底盤１０と止水材１４との接触幅Ｗが地中壁２０の部材厚さＬに対して、１／４０から１／２０の範囲になることが好ましい。
本実施の形態において、接触幅Ｗとは止水材１４を配設した時における平面視の止水材１４の最大幅のことをいう。底盤１０に止水材１４を配設した際においては、止水材１４の平面視の最大幅は底盤１０と接触していないが、この上にコンクリートを打設することにより、止水材１４はさらに扁平し、上記最大幅に相当する接触幅になる。
また、後述する図３における接触幅は固定具の内幅が接触幅となる。
【００１５】
底盤１０と止水材１４との接触幅Ｗが地中壁２０の部材厚さＬに対して、１／４０未満であると、止水材１４と底盤１０との接触が不十分であり、水の浸入を十分に防ぐことができない。
また、底盤１０と止水材１４との接触幅Ｗが地中壁２０の部材厚さＬに対して、１／２０を超えても、水の浸入を防止する効果がさらに向上することは期待できず、止水材１４の材料費や工事費が増大するので、Ｗ／Ｌは１／４０から１／２０の範囲であることが好ましい．
【００１６】
このように、止水材１４が底盤１０の打ち継ぎ面５０に密着するようにして配設した後、地中壁２０部分のコンクリート型枠を組み立てて、地中壁２０部分のコンクリートを打設する。地中壁２０部分の打ち継ぎコンクリートを打設する際においては、止水材１４の周辺に空気が残らないようにバイブレータで充分締め固めを行う。具体的には、バイブレータの出力に応じて推奨されているバイブレータの配設ピッチの半分のピッチで締め固めを行えば、フレッシュコンクリート内の打設時に混入した余分な空気の除去が確実に行えるため好適である。コンクリート中の余分な空気を除去することにより、コンクリート（特に打ち継ぎ面の部分）の強度が保たれ、また、止水材１４の底盤１０への接触もより強化されるので、バイブレータの狭ピッチの使用は好適である。
打ち継ぎした地中壁２０部分のコンクリートが硬化したら、コンクリート型枠１８を脱形して、底盤１０と地中壁２０を施工するために掘削した作業空間３０を埋め戻しする。
【００１７】
本実施の形態においては、底盤１０の上に配設された止水材１４に、コンクリート釘１６を可及的狭ピッチにて打ち込むことにより、止水材１４と底盤１０との隙間が生じないように施工する方法について説明した。これによれば、止水材１４と底盤１０との間に隙間が生じなくなるので、打ち継ぎ面５０の外面側から地下水が浸入してきたとしても、地下水は必ず止水材１４に接触するので、止水材１４に装てんされている膨潤性の高い吸水ゲル化物質の乾燥体が地下水と反応して不透水性の膠状になることにより地下水の浸入を妨げることができる。
【００１８】
（第２の実施の形態）
次に図３に基づいて、第２の実施の形態について説明する。図３は、止水材の固定具の使用状態を示した説明図である。
本実施の形態においては、第１の実施の形態の止水材１４の底盤１０へ固定する際に、コンクリート釘１６の使用に替えて固定具６０を用いている点が特徴である。
【００１９】
固定具６０について説明する。
固定具６０は、止水材１４の配設方向と同方向に長尺に形成されたものであり、止水材１４を抑え付け可能な形状に形成されている。固定具６０は、通常コンクリート内に存在しても安定している材料、例えば、金属や合成樹脂によって形成されていることが好ましい。また、固定具６０は、止水材１４が押さえ付けられた際における底盤１０との接触幅Ｗが地中壁２０の部材厚さＬの１／２０から１／４０となるような断面形状に形成されている。
固定具の上端面６０ａには、固定具６０と止水材１４とを底盤１０に固定させるためにコンクリート釘１６等を打ち込むための固定用孔６１が一定間隔に設けられている。また、固定具６０の上面６０ａと側面６０ｂには、地中壁２０のコンクリート打設をする際において、固定具６０と止水材１４との間にコンクリートペーストが入り込むようにするためのペースト誘導孔６２が一定間隔に形成されている。
【００２０】
固定具６０を用いた場合におけるコンクリートの打ち継ぎ面の止水施工方法については、底盤１０のコンクリートの打ち継ぎ面５０に止水材１４を配設するまでは、第１の実施の形態と同様同様の工程で行われる。
固定具６０で止水材１４を底盤１０の打ち継ぎ面５０に押し付けて、固定用孔６１にコンクリート釘１６等を用いて固定具６０と止水材１４を底盤１０の打ち継ぎ面５０に固定する。止水材１４の固定が終わったら、地中壁２０のコンクリート型枠１８を組み立てた後に、地中壁２０のコンクリートを打設する。打設したコンクリートが硬化したら、コンクリート型枠１８を脱形し、作業空間３０を埋め戻しして地下室の施工が完了する。
【００２１】
本実施の形態においては、止水材１４の設置方向と同方向に長尺な固定具６０を用いることにより、止水材１４の打ち継ぎ面５０への押さえ付けを狭ピッチで行う作業が不要になるため、施工にかかる手間を大幅に軽減させることができる。
【００２２】
以上、実施の形態に基づいて本発明に係るコンクリートの打ち継ぎ面の止水施工方法について詳細に説明してきたが、本発明は、以上の実施の形態に限定されるものではなく発明の要旨を逸脱しない範囲において各種の改変をなしても、本発明の技術的範囲に属するのはもちろんである。
例えば、本実施の形態においては、地下室を例にして説明をしているが、常に水の浸入が考えられる構造物（プール等）において本発明のコンクリートの打ち継ぎ面の止水施工方法を適用することもできる。
【００２３】
また、本発明においては、打ち継ぎ面を平滑に仕上げておくことが必要であるが、打ち継ぎ面のすべてを平滑にしなければならないわけではなく、止水材１４との接触面だけを平滑に仕上げておけばよい。これによれば、止水材１４と接触する面以外においては、従来の打ち継ぎ面５０と同様に凹凸がある粗面になっているから、鉄筋１２の配設ピッチを細かくしなくても新たに打設するコンクリートとの付着を維持することができるし、止水材１４の打ち継ぎ面５０への固定作業においても鉄筋１２が邪魔になることがないため好適である。
【００２４】
【発明の効果】
本発明に係るコンクリートの打ち継ぎ面の止水施工方法によれば、止水材１４と底盤１０の打ち継ぎ面５０との間に隙間が生じなくなるので、打ち継ぎ面５０の外面側から地下水が浸入してきたとしても、地下水は必ず止水材１４に接触するので、地下水と止水材１４の装てん物とが反応して不透水性の膠状（ゲル）になることにより地下水の浸入を妨げることができる。
また、止水材１４の設置方向と同方向に連続する固定具６０を用いて止水材１４を底盤１０の打ち継ぎ面５０に固定することにより、狭ピッチでの止水材１４の押さえ付けが不要となるため、コンクリートの打ち継ぎ面５０からの水の浸入を確実に抑えることができ、しかも、施工にかかる手間を大幅に軽減することができる等といった著効を奏する。
【図面の簡単な説明】
【図１】第１の実施の形態におけるコンクリートの打ち継ぎ面の施工状況を示す説明図である。
【図２】施工後における止水材近傍の断面図である。
【図３】止水材の固定具の使用状態を示した説明図である。
【図４】従来のコンクリートの打ち継ぎ面の施工状態を示す説明図である。
【符号の説明】
１０　底盤
１２　鉄筋
１４　止水材
１６　コンクリート釘
１８　コンクリート型枠
２０　地中壁
３０　作業空間
５０　打ち継ぎ面
５２　隙間
６０　固定具
６１　固定用孔
６２　ペースト誘導孔
【図１】
2004107890.tif 000003
【図２】
2004107890.tif 000004
【図３】
2004107890.tif 000005
【図４】
2004107890.tif 000006